(57)【特許請求の範囲】
【請求項１】
お太鼓の布の裏地および表地の反対側の端部のタレの部分の模様が、お太鼓の布の表地および裏地の模様と同じ模様であり、手先の布の表地および裏地の模様がお太鼓の表地および裏地の模様と同じであり、前帯の布の中央から左の部分および右の部分の模様が、それぞれお太鼓の表地および裏地の模様と同じであり、前帯の布の端部が山形に折り込んだ山形であり、お太鼓と手先とが面ファスナーで固定されていることを特徴とする軽装帯。
【発明の詳細な説明】
【技術分野】
【０００１】
この出願発明は、新しい軽装帯に関する。
【背景技術】
【０００２】
従来の名古屋帯では、完成品で長さが約３．８ｍあり、一重太鼓を結ぶ際の難しさ、着用時の苦しさが、日本人の着物ばなれを引き起こしている一因である。また、帯地は美しく華やかであり、用尺も長いので、当然高価なものとなっている。
その名古屋帯を気軽に着用できるようにするために、昭和時代の初期から現在までに様々な軽装帯が開発されているが、これらの軽装帯でさえも、装具・金具・紐を多用するため、製作においても、着用においても繁雑となり、費用もかかるという問題があった。
従来の軽装帯は、胴に巻く前帯とお太鼓部分を縫い合わせていたり（例えば、非特許文献１参照）、お太鼓を結びやすくする装具を使用していたり（例えば、非特許文献２参照）、すでに完成している帯をボタン・金具・紐を使って加工し、お太鼓を形作ってから、背負うという形式であった（例えば、非特許文献３参照）。
また、二面を使用する従来の軽装帯は、裏も使えるという観点から二種類の素材を表地と裏地に合わせて縫製したものであった（例えば、非特許文献４）。
従来の名古屋帯は、その長さが約３．８ｍあり、お太鼓となる部分の裏面と合わせると幅約３３ｃｍ、長さ５ｍの帯地が必要であった。
また、従来の軽装帯は、その製作において、ボタン・金具・紐を多用することで繁雑となり、製品や加工料も安価ではなかった。
従来の名古屋帯の一重太鼓結びは、約３．８ｍの帯を体に２回巻いた後、装具（金具）を使用して、後ろで結んで、着用するというものであり、結び方の一つとしては、一重太鼓を前で結んで後方に回すという方法もあるものの、手や肩が不自由な人たちにおいては、和服を着用する機会が少なくなるという問題があった。
【非特許文献１】大塚末子著、「新きものの作り方全書」文化出版局、１９７２年４月１５日発行、ｐ．３６９〜ｐ．３７３
【非特許文献２】「ニッセンカタログ  ２００７Ｓｐｒｉｎｇ  カタログ番号４９０５」、株式会社ニッセン、２００７年、ｐ．７６０
【非特許文献３】「ニッセンカタログ  ２００７Ｓｐｒｉｎｇ  カタログ番号４９０５」、株式会社ニッセン、２００７年、ｐ．７６１
【非特許文献４】「ニッセンカタログ  ２００７Ｓｐｒｉｎｇ  カタログ番号４９０５」、株式会社ニッセン、２００７年、ｐ．７２３
【発明の開示】
【発明が解決しようとする課題】
【０００３】
この出願発明は、このような従来の名古屋帯もしくは軽装帯がもつ問題を解決することを目的とするものであり、とくに、１つの帯を２種類の帯として簡単に着用できる軽装帯を提供することを目的とする。
【課題を解決するための手段】
【０００４】
この出願発明は、お太鼓の布の裏地および表地の反対側の端部のタレの部分の模様が、お太鼓の布の表地および裏地の模様と同じ模様であり、手先の布の表地および裏地の模様がお太鼓の表地および裏地の模様と同じであり、前帯の布の中央から左の部分および右の部分の模様が、それぞれお太鼓の表地および裏地の模様と同じであり、前帯の布の端部が山形に折り込んだ山形であり、お太鼓と手先とが面ファスナーで固定されている軽装帯に関する。
【発明の効果】
【０００５】
この出願発明は、折り返すときにタレの部分の模様と合わせることにより、簡単にお太鼓をつくることができる。
従来の二面を使用する軽装帯は、お太鼓部分と同様に、前帯は二種類の布を細く切って表地と裏地になるように縫い合わせるものであったが、この出願発明は、二種類の布を左右に配置し、接合部分を縫い合わせることにより、従来の方法に比べ、布の裁断面と縫製の時の長さが約四分の一となり、技術的に非常に簡単となるだけではなく、着尺を使用した場合、布端の処理も不要で、糸も少なく済み、製作の時間も短縮されるので、材料費並びに人件費を大幅に削減することができる。
この出願発明は一つの帯の二面を使用できるので、着物に合わせて二種類の帯として使用することができるという優れた効果がある。
この出願発明は、軽量でしかも用布の使用量が少なく、装具・金具を使用せず、紐を多用することなく、縫製も容易であるため、材料費、人件費を大幅に削減することができる。
この出願発明は、前帯を２回巻いて、後方で、一組の紐を結ぶだけである。そして、お太鼓部分は表に出したい方を山にして、帯揚げをつけた帯枕を内側にあて、好みの高さに背負い、帯揚げを前で結んでからタレの部分が見えるようにお太鼓の残りを内側に折り入れて、面ファスナーを縫い付けた手先部分をお太鼓の内側に折り入れて、形を整え、帯締めで締めるだけでよいので、これまでのように金具を使う必要がなく、しかも、美しく、楽に、素早く着装できる。
この出願発明は金具を一切使用しないため、この出願発明の軽装帯を着用したり、ケースに入れて旅行する際は、空港での手荷物検査において、金属製品反応により警報が鳴らない軽装帯を提供することができる。
さらに手先とお太鼓とは、面ファスナーを縫い付けることで、お太鼓部分との取りはずしができ、手先とお太鼓とをずれないように固定することができる。
この出願発明は、お太鼓の形状については、外見は従来の名古屋帯を一重太鼓に結んだ着姿と変わらないようにしながらも極めて容易に形作ることができる。
また、お太鼓となる布地は幅約３５ｃｍ、長さ約８５ｃｍの布地が２枚あれば製作することが可能であり、着尺を使用したり、世界各国の民芸織物や、着用者の手持の布、縁りの方々の形見や贈り物を帯にして楽しむことができる。
この出願発明により、帯の材料を少なくすることができるので、軽量でコンパクトな二面が使用できる軽装帯をより安価に提供することができ、さらに材料費・人件費等の費用を低くすることも可能となった。
この出願発明の軽装帯により、和装における帯結びは、極めて素早くすることができ、しかも楽になり、帯は多種多様の布地を少しの量で作ることができるので、気軽に様々なデザイン、色、柄の帯を楽しむことができる。
また、この出願発明を大量生産して市場に供給する場合、材料費・人件費のみならず、輸送費用や在庫の保管、展示のスペースも削減できるので、より安価で消費者に提供できる。その結果、現在の和装愛好者だけではなく、将来において、着物をもっと気軽に、様々な機会を利用して着用する着物人口の増加に大いに貢献するものである。また、外国人も簡単に着物を着用することができ、着物を世界に広めることができる。
前帯の端部はどのような形状でもよいが、山形がとくに好ましい。端部が山形になっているので、前帯を締めたときに上部にはみ出す部分が少なくなりお太鼓がすっきりする。
【発明を実施するための最良の形態】
【０００６】
この出願発明の軽装帯は、図３、図４に示すようにお太鼓の布の裏地および表地の反対側端部のタレの部分の模様が表地および裏地の模様と同じ模様であることがとくに好ましい。
このようにすることにより、２種類のお太鼓として簡単に使用することができる。
【０００７】
この出願発明は  手先の表地と裏地の模様がお太鼓の表地と裏地と同じであることがとくに好ましい。
このようにすることにより、２種類の手先として使用することができる。
【０００８】
この出願発明は  図７に示すように前帯の模様が中央から左の部分と右の部分とがそれぞれお太鼓の表地と裏地と同じであることがとくに好ましい。
このようにすることにより、２種類の帯として使用することができ、しかも、使用する布の量を少なくすることができる。
【０００９】
この出願発明は、図７に示すように前帯の端部が山形であり、山形の先端に紐が接合されていることがとくに好ましい。
山形にすることにより、前帯を締めたときに上部にはみ出す部分が少なくなりお太鼓がすっきりし、また、布端を折り込むことで、前帯の長さの調節が可能となり、着用者自身により将来折り込み部分を出したり、また、さらに折り込んだりと調節することができるので、長く愛用することができる。
さらに、山形に折り込んだ結果、いわゆる帯溜りの部分にお太鼓をのせた時に、すっきりとした形となり、現在流行中の羽織を着用してもかさばらず、美しい着姿が実現できる。
また、前帯が緩まないので、金具を使用する必要がない。
【００１０】
この出願発明は、お太鼓と手先とが面ファスナーで固定されていることがとくに好ましい。面ファスナーは図３〜図６に示すように取り付けられていることがとくに好ましい。
このようにすることにより、留め具を使わずにお太鼓と手先とがずれないように固定することができる。
【００１１】
従来のお太鼓結びは、図２に示すようにお太鼓を形作ってから一度お太鼓の中に帯が入り、山の近くまで入れ込こんで折り返してからタレの部分を約１０ｃｍ、お太鼓の下部の線から引き出すというものであった。
これに対して、この出願発明のお太鼓は、図１に示すように山を形作ったお太鼓の布はそのまま山の中へ一重に折り返すだけとなっており、折り返したところから下がタレとなるという極めて簡単な構造となっている。
したがって、お太鼓を形作ることが簡単であり、しかも、お太鼓となる布地は幅約３５ｃｍ、長さ約８５ｃｍの布地が２枚あれば製作することが可能であり、着尺を使用したり、世界各国の民芸織物や、着用者の手持の布、縁りの方々の形見や贈り物を帯にして楽しむことができる。
【００１２】
二面を使用する場合、従来の軽装帯のお太鼓の部分は、二種類の布を表地と裏地になるように縫製したものであったが、この出願発明は、タレの部分に相当する長さとして二種類の布を約１０ｃｍずらした後、縫い合わせたものであり、これにより、異なる色と柄の二種類の布を使用しても、お太鼓とタレの部分は常に同種であり、二種類の色と柄の帯が楽しめる。しかも、タレの部分の模様が異なるので簡単にお太鼓を作ることができる。
【００１３】
従来の二面を使用する軽装帯は、お太鼓部分と同様に、前帯は二種類の布を細く切って表地と裏地になるように縫い合わせるものであったが、この出願発明は、二種類の布を左右に配置し、接合部分を縫い合わせることにより、従来の方法に比べ、布の裁断面と縫製の時の長さが約四分の一となり、技術的に非常に簡単となるだけではなく、着尺を使用した場合、布端の処理も不要で、糸も少なく済み、製作の時間も短縮されるので、材料費並びに人件費を大幅に削減することができる。
【００１４】
また、従来の名古屋帯のお太鼓結びだけではなく、従来の軽装帯においても、着用が繁雑であったが、この出願発明の軽装帯においては、前帯の左右の柄のうち、外側に出したい方の柄の部分の端を右側にし、異なる方を左手に持って２回巻いて、後方で、一組の紐を結ぶだけである。そして、お太鼓部分は表に出したい方を山にして、帯揚げをつけた帯枕を内側にあて、好みの高さに背負い、帯揚げを前で結んでからタレの部分が見えるようにお太鼓の残りを内側に折り入れて、面ファスナーを縫い付けた手先部分をお太鼓の内側に折り入れて、形を整え、帯締めで締めるだけでよいので、これまでのように金具を使う必要がなく、しかも、美しく、楽に、素早く着装できる。
【実施例】
【００１５】
以下、実施例によって、この出願発明を具体的に説明するが、この出願発明はこれらの実施例に限定されるものではない。
図１はこの出願発明のお太鼓の斜視図であり、図２は従来の名古屋帯のお太鼓の斜視図であり、図３はこの出願発明のお太鼓を広げたときの表地の平面図であり、図４はこの出願発明のお太鼓を広げたときの裏地の平面図であり、図５はこの出願発明の手先を広げたときの表地の平面図であり、図６はこの出願発明の手先を広げたときの裏地の平面図であり、図７はこの出願発明の前帯を広げたときの平面図であり、１はこの出願発明のお太鼓を、２はタレを、３はこの出願発明の折り返しを、４はこの出願発明の折り込みを、５は従来の名古屋帯のお太鼓を、６は、従来の名古屋帯の折り返しを、７は従来の名古屋帯の折り込みを、８はこの出願発明のお太鼓を広げたときの表地を、９はこの出願発明のお太鼓を広げたときの裏地を、１０は面ファスナーを、１１はこの出願発明の手先の表地を、１２はこの出願発明の手先の裏地を、１３はこの出願発明の前帯を、１４は前帯の中央を、１５は前帯の表地を、１６は前帯の裏地を、１７は山形を、１８は紐をそれぞれ示す。
【００１６】
実施例１
図３、４は、この出願発明のお太鼓の二面を使用するための裁断・接合技術を説明するために示した図である。
図３はこの出願発明のお太鼓のうち、稿模様を示した図、図４は同じお太鼓の他の面、つまり花模様の方を示した図である。
図３は、お太鼓に縞模様が出るようにする場合であり、完成体の実寸は幅約３３ｃｍ、長さ約８６ｃｍであるため、用布については、帯地と着尺の場合はそのまま使用し、その他の布の場合は縫い代を見込んで裁断する。
いずれの場合も着用者の体型により増減が可能である。そして、図３の縞模様に対して、図４の花模様の布を全く同寸に裁断する。そして、図３と図４の布をぴったりと合わせた状態から、タレの寸法に相当する約１０ｃｍ、図４の布が図３の布の方にまわり込むように、帯芯を入れて縫い合わせる。
図５は、この出願発明による新しい形式の手先のうち稿模様を示した図であり、図６は、同じ手先の他の面、つまり花模様の方を示した図である。
次に、手先となる図５と図６の二種類の布を表地と裏地になるように、帯芯を入れて縫い合わせる。手先は完成時の寸法が幅約１７ｃｍ、長さ約５０ｃｍが適当である。
その後、巾約５ｃｍの面ファスナー１０を図３のお太鼓の取り付けるべき位置に縫い付け、面ファスナー１０を図４のお太鼓に取り付けるべき位置に縫い付ける。
そして、巾約５ｃｍの面ファスナー１０を図５の手先の取り付けるべき位置に縫い付け、面ファスナー１０を図６の手先の取り付けるべき位置に縫い付ける。
なお、工場等で大量生産する場合はこれら縫製の手段や手順は異なってもよい。
【００１７】
実施例２
図７は、胴に巻く前帯の裁断・縫製を説明するために示した図である。
この出願発明は、従来の二面を使用するときの帯の布地の縫製が全体の長さを通して表地と裏地に縫製されていたのに対し、中央の左と右に同じ長さ各々約９０ｃｍの異なった柄の布を配置するものである。
これにより布を裁断し、縫い合わせる長さは、従来の四分の一となり、特に着尺と帯地を使用した場合、縫製の際は、ただ半分に折れば良いので、布目のゆがみも発生せず、布端の処理も不要となった。
また、図７においては、帯芯を入れて縫製した後、２種類の布を山形１７の部分まで山形に折り込み、幅５ｃｍ、長さ約４０ｃｍの紐１８を両端に縫いつける。
このようにすることにより、前帯を締めたときに上部のはみ出しを少なくすることができる。
また、布端を１７の部分まで折り込むことで、前帯の長さの調節が可能となり、着用者自身により将来折り込み部分を出したり、また、さらに折り込んだりと調節することが可能であるため、長く愛用されることが期待できる。
さらに、山形に折り込んだ結果、いわゆる帯溜りの部分にお太鼓をのせた時に、すっきりとした形となり、羽織を着用してもかさばらず、美しい着姿が実現できる。
また、この結果、従来お太鼓を前帯に固定するために使用されている金具を使用する必要がなくなる。
【００１８】
実施例３
この出願発明のお太鼓は図１に示すように、外見は図２の従来の名古屋帯をお太鼓に結んだ形と全く変わらない。
しかし、図１では、３の部分で折り返して、４の部分を折り込むだけであるのに対して、図２では、６の部分で折り返してお太鼓の大きさを決め、７の部分で帯を折りこみ、再び２の部分まで戻してタレの長さを決めなければならない。
その結果、図２では、お太鼓の大きさが決まらず、７の部分でお太鼓の中で手さぐりでお太鼓を形作ることとなる。
しかし、図１では、二面を使用する場合、タレの部分がお太鼓の柄と全く異なる柄に接しているので、後ろ向きで鏡を見てもわかりやすく、３の部分で折り返すことにより、簡単にお太鼓を形作ることができる。
【産業上の利用可能性】
【００１９】
この出願発明は、軽装帯に関するものであり、簡単に着用することができ、また、２種類の帯とすることができ、しかも、布地を少なくすることができるので、手頃な価格で着物をもっと楽しむことを実現し、日本人が現在も、将来にわたっても美しく、楽しく着物を愛用することができる。
【図面の簡単な説明】
【００２０】
【図１】この出願発明のお太鼓の斜視図。
【図２】従来の名古屋帯のお太鼓の斜視図。
【図３】この出願発明のお太鼓を広げたときの表地の平面図。
【図４】この出願発明のお太鼓を広げたときの裏地の平面図。
【図５】この出願発明の手先を広げたときの表地の平面図。
【図６】この出願発明の手先を広げたときの裏地の平面図。
【図７】この出願発明の前帯を広げたときの平面図。
【符号の説明】
【００２１】
１  この出願発明のお太鼓
２  タレ
３  この出願発明の折り返し
４  この出願発明の折り込み
５  従来の名古屋帯のお太鼓
６  従来の名古屋帯の折り返し
７  従来の名古屋帯の折り込み
８  この出願発明のお太鼓を広げたときの表地
９  この出願発明のお太鼓を広げたときの裏地
１０  面ファスナー
１１  この出願発明の手先の表地
１２  この出願発明の手先の裏地
１３  この出願発明の前帯
１４  前帯の中央
１５  前帯の表地
１６  前帯の裏地
１７  山形
１８  紐
【要約】
【課題】  この出願発明は、従来の名古屋帯の一重太鼓結びは、難しい、苦しいという問題を解決するものであって、昭和時代初期より現在までに発明された様々なつけ帯、軽装帯においても、装具・金具・紐を多用し、繁雑であり加工に費用もかかるという問題を解決することを目的とする。
【解決手段】  この出願発明は、お太鼓の布の裏地の端部のタレの部分の模様が表地と同じ模様であることを特徴とする軽装帯に関する。
【選択図】  図１【図１】
0004147332.tif 000002
【図２】
0004147332.tif 000003
【図３】
0004147332.tif 000004
【図４】
0004147332.tif 000005
【図５】
0004147332.tif 000006
【図６】
0004147332.tif 000007
【図７】
0004147332.tif 000008